(57)【要約】【課題】冷陰極蛍光ランプに電流を供給する場合に、起動時の不安定さを抑圧する。【解決手段】冷陰極蛍光ランプ（１２）の電源回路に直列に接続された電子的安定化回路（１０）が、ランプ電流の大きさに応じて自動的に調整される可変インピーダンス（Ｑ１）を有し、これにより、ランプ電流（ＩＬ）をある電流閾値に抑制する。【選択図】図３
2009152193.tif 000002
【特許請求の範囲】
【請求項１】
冷陰極蛍光ランプ（１２）の起動時の不安定さを抑圧するための電子的安定化回路（１０）であって、
前記電子的安定化回路（１０）が前記冷陰極蛍光ランプ（１２）と直列接続され、電流閾値を超える電流振幅のみが抑制されるように、ランプ電流（ＩＬ）の大きさにより自動的に調整されるインピーダンスを有する電子的安定化回路。
【請求項２】
前記ランプ電流（ＩＬ）の値が所定の閾値よりも小さいときに小さいインピーダンスを有することを特徴とする請求項１に記載の電子的安定化回路。
【請求項３】
前記ランプ電流（ＩＬ）の値が所定の閾値を超えるときに大きいインピーダンスに変わることを特徴とする請求項１又は２に記載の電子的安定化回路。
【請求項４】
電源電流が交流電流であることを特徴とする請求項１乃至３のいずれか一項に記載の電子的安定化回路。
【請求項５】
電流リミッタに接続された少なくとも一つのツェナーダイオードと少なくとも一つのバイポーラトランジスタとを備えたことを特徴とする請求項１乃至４のいずれか一項に記載の電子的安定化回路。
【請求項６】
前記交流ランプ電流（ＩＬ）の正の半波のための電流リミッタと、直列接続された、前記交流ランプ電流（ＩＬ）の負の半波のための電流リミッタとを備えることを特徴とする請求項５に記載の電子的安定化回路。
【請求項７】
前記ランプ電流（ＩＬ）を、前記電流リミッタに供給する前に、整流する整流回路を備えることを特徴とする請求項５に記載の電子的安定化回路。
【請求項８】
ダーリントン接続された２つのバイポーラトランジスタを備えたことを特徴とする請求項５乃至７のいずれか一項に記載の電子的安定化回路。
【請求項９】
少なくとも１つの電界効果トランジスタと、分圧器を構成し、前記電界効果トランジスタのゲートにバイアスを与える抵抗器回路網とを備え、前記電界効果トランジスタが電圧で制御される電流リミッタとして動作することを特徴とする請求項１乃至４のいずれか一項に記載の電子的安定化回路。
【請求項１０】
前記交流ランプ電流（ＩＬ）の正の半波のための、電圧で制御される第１のＦＥＴ電流リミッタと、前記第１のＦＥＴ電流リミッタと直列接続され、前記交流ランプ電流（ＩＬ）の負の半波のための、電圧で制御される、同一の第２のＦＥＴ電流リミッタとを備えたことを特徴とする請求項９に記載の電子的安定化回路。
【請求項１１】
前記交流ランプ電流（ＩＬ）を、前記電圧で制御されるＦＥＴ電流リミッタに供給する前に、整流する整流回路を備えたことを特徴とする請求項９に記載の電子的安定化回路。
【請求項１２】
周囲温度に応じて前記電流閾値を調整する温度依存性部材を備えたことを特徴とする請求項１乃至１１のいずれか一項に記載の電子的安定化回路。
【請求項１３】
複数の冷陰極蛍光ランプ（１２ａ〜１２ｎ）と直列に接続されたことを特徴とする請求項１乃至１２のいずれか一項に記載の電子的安定化回路。
【請求項１４】
少なくとも１つの一次巻線と、少なくとも１つの二次巻線とを有する変圧器（３０）を備えた電源回路の一部であり、
前記冷陰極蛍光ランプ（１２ａ〜１２ｎ）及び前記電子的安定化回路（１０）が前記変圧器の前記二次巻線に直列に接続されていることを特徴とする請求項１乃至１３のいずれか一項に記載の電子的安定化回路。
【請求項１５】
少なくとも１つの一次巻線と、少なくとも１つの二次巻線とを有する変圧器（３０）を備えた電源回路の一部であり、
前記電子的安定化回路（２０）が、前記変圧器の前記一次巻線に直列に接続され、
前記冷陰極蛍光ランプ（１２ａ〜１２ｎ）が前記変圧器の前記二次巻線に直列に接続されていることを特徴とする請求項１乃至１３のいずれか一項に記載の電子的安定化回路。
【発明の詳細な説明】
【技術分野】
【０００１】
本発明は、冷陰極蛍光ランプ（ＣＣＦＬ）の起動時の不安定さを抑圧するための電子的安定化回路に関する。
【背景技術】
【０００２】
冷陰極蛍光ランプは、例えば、液晶ディスプレイ（ＬＣＤ）において、大面積のバックライト光源として用いられる。このようなバックライト光源は、面全体について光の出射が均一であること、及び光の出射量の多いことが強く要求される。従来技術のフラットスクリーンの液晶ディスプレイ（ＬＣＤ）においては、液晶ユニットの裏側に、光の拡散板が設けられ、その裏側に冷陰極蛍光ランプが通常の方法で設けられる。
【０００３】
冷陰極蛍光ランプのための電源回路は、通常バックライトインバータ回路と呼ばれ、起動時（点灯時）の不安定さとして知られている問題を有する。起動時の不安定さのため、起動後の最初の１分間程度、電源回路の磁気部材により音響的ノイズが生じ，不快感がもたらされる。これは、周囲温度が低いときに特に著しい。起動時の不安定さの原因は、冷陰極蛍光ランプの負性インピーダンスである。この負性インピーダンスは、冷陰極蛍光ランプの電流振幅に変調を生じさせる低調波（サブハーモニック）振動を生じさせる。起動時の不安定さは、周囲温度が低いほど著しい。これは、冷たいプラズマが、熱いプラズマよりも、大きい負性インピーダンスを有するためである。
【０００４】
低調波振動は、損失手段を付加することにより、除去することができる。例えば、冷陰極蛍光ランプに十分な抵抗値の直列抵抗器を接続し、抵抗値の温度係数が正の抵抗器により負性インピーダンスが補償されるようにする。言い換えれば、抵抗器が低調波振動を抑制（ダンピング）する。しかしながら、このような構成では、抵抗器が通常の動作電流に対しても負荷となり、効率が大幅に低下する。
【発明の開示】
【発明が解決しようとする課題】
【０００５】
本発明の目的は、低調波振動に対してのみ影響を与え、通常の安定な動作に対して負荷とならず、従って、従来のようにして抵抗器を付加した場合の効率の低下を招くことのない、簡単な選択的抑制（ダンピング）回路を提供することである。
【課題を解決するための手段】
【０００６】
本発明は、１つの冷陰極蛍光ランプ及び電源回路、または一群の冷陰極蛍光ランプ及び電源回路に直列に接続された電子的安定化回路を提供する。この電子的安定化回路は、ある電流閾値を超えるランプ電流振幅のみを抑制（ダンプ）する。本安定化回路は、安定化回路を流れる電流がある電流閾値よりも小さいときは、インピーダンスが小さいままであり、安定化回路を流れる電流がこの閾値を超えるときにインピーダンスが著しく大きくなる。従って、安定化回路は、電流値が小さいときは、電流が閾値に達するまでは、インピーダンスが低い抵抗器として動作する。この電流閾値を超えると、安定化回路のインピーダンスは急激に高くなり、電流源として動作する。従って、本電子的安定化回路は、能動電流リミッタとして見ることができる。
【０００７】
本発明の好ましい実施の形態及びさらなる好適な特徴は従属クレームに記載されている。
【０００８】
一般的に、冷陰極蛍光ランプは、交流電源電流で駆動される。従って電子的安定化回路は、交流電流を流すように構成する必要がある。
【０００９】
電子的安定化回路は、ＤＣ電流リミッタ回路に特徴がある。このＤＣ電流リミッタ回路は、少なくとも１つのバイポーラトランジスタと、ベース抵抗器Ｒｂと、エミッタ抵抗器Ｒｅと、電流閾値レベルを定めるツェナーダイオードと、ベース抵抗器Ｒｂと並列接続された、前記バイポーラトランジスタの過電圧保護のための第２のツェナーダイオードとを有する。この特徴部分は、一方の電流方向（例えば正の半波）に対してのみ機能するものであっても良い。双方向の電流に対応するため、安定化回路は、２つの順方向バイアスされたツェナーダイオードを介して電流を流すように構成しても良い。正及び負の半波に対して電流制限動作を行うため、２つの異なる構成例が説明される。第１の構成例では、全波整流ブリッジの対角線上に（頂点間に）電流リミッタ回路が配置される。第２の構成例では、２つの同一の電流リミッタ回路が直列に、但し逆極性に接続され、一方が正の半波を制限し、他方が負の半波を制限する。
【００１０】
より大きなランプ電流に対応するため、電子的安定化回路がダーリントン接続された２つのバイポーラトランジスタを含む電流リミッタを備えたものであっても良い。この場合にも、ＡＣの両方向の電流を制御するためには、安定化回路を全波整流ブリッジ内に設け、または２つの同じ安定化回路を直列に逆極性に接続してもよい。
【００１１】
本発明の他の好ましい実施の形態では、電子的安定化回路が、電界効果トランジスタと、前記電界効果トランジスタのゲートをバイアスする分圧器を構成する抵抗器の回路網を備え、電界効果トランジスタが電圧で制御される電流リミッタとして動作する。
【００１２】
この場合にも、ＡＣでの動作のため、全波整流ブリッジと組み合わせて用いても良く、あるいは２つの同じ安定化回路が直列に、但し逆極性に接続しても良い。
【００１３】
冷陰極蛍光ランプの抵抗値の変化は、温度に大きく依存し、起動時の不安定さも周囲温度に大きく依存する。従って、温度依存性抵抗を用いて、電流リミッタの電流閾値を温度依存的にするのが好ましい。特に、温度とともに閾値が大きくなる必要がある。
【００１４】
安定化回路は、一つの冷陰極蛍光ランプと直列に接続されても良く、複数の冷陰極蛍光ランプと直列に接続されても良い。
【００１５】
本発明の好ましい実施の形態によれば、安定化回路は、少なくとも１つの一次巻線と、少なくとも１つの二次巻線を有する変圧器を備えた電源回路の一部であり、冷陰極蛍光ランプ及び安定化回路が変圧器の二次巻線と直列に接続される。
【００１６】
本発明の他の好ましい実施の形態によれば、安定化回路は、少なくとも１つの一次巻線と、少なくとも１つの二次巻線を有する変圧器を備えた電源回路の一部であり、安定化回路が変圧器の一次巻線に直列に接続され、冷陰極蛍光ランプが変圧器の二次巻線に直列に接続されている。
【００１７】
必要であれば、２つ以上の安定化回路が直列に接続される。トランジスタの電圧定格が低い場合、あるいは電力消費をより多くの部材に分担させる必要がある場合にはそのようにするのが望ましい場合がある。
【００１８】
電子的安定化回路及びその動作方法、並びに付加的な問題及び利点が、添付の図面を参照してなされる以下の、本発明の特定の実施の形態についての説明から理解されよう。
【発明の効果】
【００１９】
本発明によれば、低調波振動に対してのみ影響を与え、通常の安定な動作に対して負荷とならず、従って、従来のように抵抗器を付加した場合の効率の低下を招くことのない、簡単な選択的抑制（ダンピング）回路を得ることができる。
【発明を実施するための最良の形態】
【００２０】
図１（ａ）及び（ｂ）は、問題点を示すとともに、本発明の基本的な着想を示す。冷陰極蛍光ランプ（ＣＣＦＬ）は、約１０００Ｖの交流電圧を電源として供給され、３０〜５０ｋＨｚ程度の高周波数で動作する。図１（ａ）に示されるような安定な動作において、冷陰極蛍光ランプは数ミリアンペア程度の一定のランプ電流ＩＬで動作する。起動時には、不安定な動作がしばしば観察される。これは、主として冷陰極蛍光ランプの負性インピーダンス（ランプ電圧の上昇とともに低下するインピーダンス）による。この負性インピーダンスは、低調波振動を生じさせ、ランプ電流ＩＬの振幅を図１（ｂ）に示すように変調する。この低調波振動は、相前後の波において、ランプ電流ＩＬの振幅が変化する（言い換えると、一つの周期と次の周期とでランプ電流ＩＬの振幅が異なる）。高周波数のランプ電流ＩＬは、より低い周波数で変調される。低い周波数の振動は、ランプ動作の起動時に、特に低温の環境下において、しばしば音響的ノイズを伴う。
【００２１】
この問題を解決するため、本発明は、電子的安定化回路を提供する。図２に示すように、電子的安定化回路１０は、冷陰極蛍光ランプ１２に対して直列に接続されており、最も大きい振幅に対してランプ電流ＩＬを選択的に抑制（ダンピング）する。電子的安定化回路１０は、安定化回路を流れるランプ電流ＩＬがある電流閾値よりも小さければ、低インピーダンスのままである。閾値の妥当な値は、例えばランプ電流ＩＬの電流振幅の平均値である。電流が閾値を超えるやいなや、電子的安定化回路１０は、低インピーダンス状態から高インピーダンス状態に切り替わり、大幅な電圧降下を生じさせ、冷陰極蛍光ランプ１２に流れるランプ電流ＩＬを減少させる。従って、電子的安定化回路１０はランプ電流ＩＬの大きな電流振幅からエネルギーを除去する。電流閾値が定格ランプ電流のピーク値（電流振幅）に近い値に設定される場合、ランプ電流ＩＬの低調波オーバーシュート分のみがダンピングされる。通常の安定な動作においては、安定化回路によるダンピングはきわめて少ない。
【００２２】
図３は、本発明の電子的安定化回路１０の第１の実施の形態を示す。電子的安定化回路１０は、基準電圧を与えるツェナーダイオードＤ５と、ランプ電流を制御するバイポーラＮＰＮトランジスタＱ１を備える４つの整流ダイオードＤ１、Ｄ２、Ｄ３、Ｄ４が設けられ、これらにより、交流のランプ電流ＩＬに対する全波整流が行われ、両方の電流半波が、バイポーラトランジスタＱ１に同じ方向に流される。トランジスタＱ１は、電流リミッタ（電流制限器）として動作する。電流閾値は、ツェナーダイオードＤ５のツェナー電圧と、バイポーラトランジスタＱ１のエミッタに接続された抵抗器Ｒｅの値により設定される。ツェナーダイオードＤ５は、安定化回路の正端子と負端子の間において、抵抗器Ｒｂと直列接続されている。抵抗器Ｒｂは、ツェナーダイオードＤ５及びバイポーラトランジスタＱ１のベースのための電流を提供する。トランジスタＱ１のコレクタは、安定化回路の正端子に接続され、トランジスタＱ１のエミッタは、抵抗器Ｒｅの一方の端子に接続され、抵抗器Ｒｅの他方の端子は、安定化回路の負端子に接続されている。ツェナーダイオードＤ５は、バイポーラトランジスタＱ１のベースに、ツェナー電圧に対応する基準電圧ＵＤ５を提供する。トランジスタＱ１のベース−エミッタ間の電圧降下ＵＢＥも考慮に入れる必要がある。従って、トランジスタＱ１のエミッタにおける最大電圧は、ＵＤ５−ＵＢＥである。従って、トランジスタＱ１を流れる電流の最大値（電流閾値）Ｉｍａｘは、
Ｉｍａｘ＝（ＵＤ５−ＵＢＥ）／Ｒｅ
である。ランプ電流ＩＬが所定の電流閾値Ｉｍａｘよりも小さい限り、トランジスタＱ１は低インピーダンスであり、コレクタ−エミッタ間電圧ＵＣＥは低い。ランプ電流ＩＬが所定の電流閾値に到達すると、トランジスタＱ１は高インピーダンスとなり、ＵＣＥが上昇し、トランジスタを流れる電流をＩｍａｘに抑制（ダンピング）する。電流閾値Ｉｍａｘがランプ電流ＩＬの定格ランプ電流のピーク値の付近に設定されていれば、安定化回路は、図１に示すように、電流のオーバーシュート分のみをダンピングする。付加的なツェナーダイオードＤ６は、トランジスタＱ１のための過電圧保護を与える。
【００２３】
図４は、図３の電子的安定化回路に基づく、電子的安定化回路１０の他の実施の形態を示す。この電子的安定化回路１０は、互いに直列接続された２つの同一構成の半波リミッタ回路を備える。２つの半波リミッタ回路の一方は、ランプ電流ＩＬの正の半波に対して動作し、他方は、ランプ電流ＩＬの負の半波に対して動作する。正の半波はトランジスタＱ１により抑制され、そのとき順方向バイアスされているツェナーダイオードＤ５＊及びＤ６＊を介して、トランジスタＱ１＊をバイパスする。負の半波は、そのとき順方向バイアスされているツェナーダイオードＤ５及びＤ６を介して、Ｑ１をバイパスし、トランジスタＱ１＊により抑制される。図４の安定化回路の利点は、電力消費が、２つのトランジスタＱ１、Ｑ１＊に分担され、４つの整流ダイオード（図３のＤ１〜Ｄ４）が不要となることである。
【００２４】
特に、ランプ電流ＩＬを大きくする必要がある場合には、図５に示すように２つのトランジスタＱ１及びＱ２を備えた、ＮＰＮダーリントントランジスタ接続を用いることにより、図３の安定化回路の性能を向上させることができる。ダーリントン回路は、ランプ電流が大きい場合にも、十分なトランジスタ増幅率を持つ。電流閾値Ｉｍａｘは、以下の式で計算される。
Ｉｍａｘ＝（ＵＤ５−ＵＢＥ，Ｑ１−ＵＢＥ，Ｑ２）／Ｒｅ
図５に示されるダーリントン接続による電子的安定化回路は、整流ダイオード（Ｄ１〜Ｄ４）を用い、ＡＣ動作を容易にしている。図４を参照して説明したのと同様に、２つの同じダーリントン回路を、互いに逆の極性で直列接続したものを用いることも可能である。
【００２５】
上記の電子的安定化回路１０は、冷陰極蛍光ランプ１２の特定の動作電流のために設計する必要がある。従って、電流閾値Ｉｍａｘが１０ｍＡとなるように設計された安定化回路は、動作ランプ電流が８ｍＡでは安定化作用がなく、一方１２ｍＡの動作ランプ電流では、電力損失が大きくなる。これは用途によっては不利である。
【００２６】
しかし、この不利は、電子的安定化回路１０の以下の実施の形態により克服できる。
【００２７】
図６は、電界効果トランジスタ（ＦＥＴ）を用いた電子的安定化回路１０を示す。整流ダイオードＤ１、Ｄ２、Ｄ３、Ｄ４は、入力交流ランプ電流ＩＬを全波整流し、ＦＥＴには、両方の半波が同じ方向に流れる。安定化回路の正端子及び負端子に接続された抵抗器Ｒ１及びＲ２で構成される分圧器が設けられている。ＦＥＴのゲートは、分圧器Ｒ１／Ｒ２の中間タップに接続され、ＦＥＴのドレインは安定化回路の正端子に接続され、ＦＥＴのソースは安定化回路の負端子に接続されている。ＦＥＴは電圧で制御される電流リミッタとして動作する。ＦＥＴのゲートの入力電圧が高いほど、電流閾値が大きくなる。この閾値よりも小さい電流に対しては、ドレイン−ソース間抵抗が小さく、この閾値よりも大きい電流に対しては、抵抗の閾値が急激に上昇する。バイポーラトランジスタを用いた安定化回路に比較して、ＦＥＴを用いた安定化回路の大きな利点は、閾値をダイナミックに変更することができることである。これは、ＦＥＴを用いた安定化回路は、特定の動作電流のために設計する必要がないことを意味する。この安定化回路は、いかなるランプ電流に対しても自己調整する。抵抗値比Ｒ１／Ｒ２は回路全体の損失とダンピング強度を別々に決定する。静電容量Ｃにより安定化回路の応答時間が決定される。安定化回路の正端子と負端子の間に接続されたツェナーダイオードＤｚは過電圧保護を与える。
【００２８】
図７は、図６の安定化回路に基づく電子的安定化回路１０の他の実施の形態を示す。この安定化回路は、２つの同一の半波電流リミッタから成り、一方がランプ電流ＩＬの正の半波に対して動作し、他方がランプ電流ＩＬの負の半波に対して動作する。図７の安定化回路の利点は、全電力消費が２つのＦＥＴで分担されること、及び整流ダイオードＤ１〜Ｄ４が不要となることである。
【００２９】
上記の電子的安定化回路１０は、周囲温度がより低い場合により一層深刻になる電流変調（低調波振動）に対する対策を与える。従って、安定化回路の安定化性能が温度に依存することが望ましい。これは、温度が低いときに、安定化回路の電流閾値を小さくすることで達成できる。ＦＥＴのゲート閾値電圧の温度依存性（ｉｎｔｒｉｎｓｉｃ  ｔｈｅｒｍａｌ  ｄｒｉｆｔ）によりそのような特徴が得られるが、少ない程度にしかそのような効果が得られない。抵抗器Ｒ２又はＲ１として温度依存性のあるものを用いることにより、温度依存性をどのようにでも設計することができる。
【００３０】
図８は、図６の安定化回路の抵抗器Ｒ２をＮＴＣ抵抗器（負の温度係数を持つ抵抗器）を用いて変形した例を示す。図６の抵抗器Ｒ２は、直列接続された２つの抵抗器Ｒ２ａ及びＲ２ｂにより置き換えられている。ＮＴＣ抵抗器Ｒ２ｃは、抵抗器Ｒ２ｂに並列接続されている。抵抗器Ｒ２ｃの抵抗値は温度が低いときに大きく、温度が上がるにともない減少する。従って、ゲート電圧は温度とともに上がり、安定化回路の電流閾値も上がる。
【００３１】
図８に示される電子的安定化回路の温度依存性のある回路素子（ｅｌｅｍｅｎｔｓ）は、図６、図７のＦＥＴを用いた安定化回路のいずれにも適用可能である。
【００３２】
本発明の種々の実施の形態で示された電子的安定化回路１０は、一つの冷陰極蛍光ランプ、または一群の冷陰極蛍光ランプと直列に接続することを意図したものである。
【００３３】
図９に示されるように、電子的安定化回路１０は、一組の冷陰極蛍光ランプ１２ａ、１２ｂ、…１２ｎと直列に接続可能である。この場合、安定化回路電流ＩＬは、すべてのランプを流れる全電流である。
【００３４】
図１０に示すように、２つ以上の電子的安定化回路１０ａ、１０ｂを直列に接続することも容易に可能である。
【００３５】
図１１に示すように、２つ以上の群の冷陰極蛍光ランプ１２ａ、…１２ｎ、１１２ａ、…１１２ｎに対して、２つ以上の電子的安定化回路１０、１１０を用いることも可能である。電子的安定化回路１０、１１０は、並列に動作し、各々が一つの群の冷陰極蛍光ランプ１２ａ、…１２ｎ、１１２ａ、…１１２ｎに直列接続されている。
【００３６】
図９乃至図１１の構成を組みわせることも可能である。
【００３７】
多くの用途において、冷陰極蛍光ランプ１２ａ、…１２ｎは、必要な高い動作電圧を生成するための変圧器３０により電力の供給を受ける。電子的安定化回路の上記の実施の形態によれば、電子的安定化回路は変圧器の二次側に冷陰極蛍光ランプと直列に接続されてランプ電流を制御する。しかし、電子的安定化回路２０を変圧器３０の一次側に設けることが好ましい場合がある。図１２に示す例では、電子的安定化回路２０は、変圧器３０の一次巻線に直列接続されている。この場合、変圧器の一次側のランプ電流ＩＬ（ｐｒｉｍ）を安定化させる。変圧器３０の一次側に接続された場合には、電子的安定化回路２０は、二次側に接続された場合に比べて、より低い電圧で動作すれば良いが、しかしより大きい電流で動作する能力を有する必要がある。その比は、変圧器の変圧比で決まる。
【図面の簡単な説明】
【００３８】
【図１】（ａ）及び（ｂ）は、安定動作中の冷陰極蛍光ランプのランプ電流の時間的変化、及び起動時の冷陰極蛍光ランプのランプ電流の時間的変化を示す概略図である。
【図２】電子的安定化回路と冷陰極蛍光ランプの直列接続を示す概略図である。
【図３】バイポーラトランジスタとツェナーダイオードを用いた第１の実施の形態の電子的安定化回路を示す概略回路図である。
【図４】２つのバイポーラトランジスタとツェナーダイオードを用いた第２の実施の形態の電子的安定化回路を示す概略回路図である。
【図５】図１と類似で、しかし、ダーリントン接続されたトランジスタを備える、第３の実施の形態の電子的安定化回路を示す概略回路図である。
【図６】ＦＥＴを用いた、第４の実施の形態の電子的安定化回路を示す概略回路図である。
【図７】２つのＦＥＴを用いた、第５の実施の形態の電子的安定化回路を示す概略回路図である。
【図８】図６と類似の、但し、電流閾値の温度補償手段を備えた、第６の実施の形態の電子的安定化回路を示す概略回路図である。
【図９】互いに並列接続された一群の冷陰極蛍光ランプと直列接続された電子的安定化回路の接続を示す概略図である。
【図１０】互いに並列接続された一群の冷陰極蛍光ランプと直列接続された２つの電子的安定化回路の接続を示す概略図である。
【図１１】互いに並列接続された一群の冷陰極蛍光ランプと、それぞれ直列接続された２つの電子的安定化回路の接続を示す概略図である。
【図１２】二次側において一群の冷陰極蛍光ランプに電流を供給する変圧器の一次側に直列接続された電子的安定化回路を示す概略図である。
【符号の説明】
【００３９】
１０，  １０ａ，  １０ｂ  電子的安定化回路、  １２，  １２ａ−１２ｎ  冷陰極蛍光ランプ（Ｌａ）、  ２０  電子的安定化回路、  ３０  変圧器、  １１０  電子的安定化回路、  １１２ａ−１１２ｎ  冷陰極蛍光ランプ（Ｌａ）。
【図１】
2009152193.tif 000003
【図２】
2009152193.tif 000004
【図３】
2009152193.tif 000005
【図４】
2009152193.tif 000006
【図５】
2009152193.tif 000007
【図６】
2009152193.tif 000008
【図７】
2009152193.tif 000009
【図８】
2009152193.tif 000010
【図９】
2009152193.tif 000011
【図１０】
2009152193.tif 000012
【図１１】
2009152193.tif 000013
【図１２】
2009152193.tif 000014